(57)【特許請求の範囲】
【請求項１】
ハンドルとシートとの間に燃料タンクを配置し、この燃料タンクの下方に左右のステップを配置した自動二輪車において、
前記燃料タンクの底から下方に所定距離を保ってボックスを配置し、このボックス内にバッテリを収納するとともに、ボックスの上面左右にステップ面、上面中央に前記バッテリから給電可能な電気製品を載せることのできる電気製品載せ面を設けたことを特徴とする自動二輪車。
【発明の詳細な説明】
【０００１】
【発明の属する技術分野】
本発明は走行用途以外の用途にも供することのできる多機能型自動二輪車に関する。
【０００２】
【従来の技術】
例えば、特開平８−１６４８８４号公報「小型自動二輪車」には、ヘルメット収納室にヘルメット等を収納することができる自動二輪車が示されている。
【０００３】
【発明が解決しようとする課題】
しかし、上記公報の小型自動二輪車は、ヘルメット収納室にヘルメット等を収納することができ、使い勝手性を向上させてはいるが、その他の目的に用いることはできない。例えば、アウトドアーやツーリングの際にあると便利で、快適性が向上する電気製品を持ち運び且つ、その場で使用可能にするということは困難である。
【０００４】
そこで、本発明の目的は、アウトドアーやツーリングの際に、その場で電気製品を使用することができる自動二輪車を提供することにある。
【０００５】
【課題を解決するための手段】
上記目的を達成するために請求項１は、ハンドルとシートとの間に燃料タンクを配置し、この燃料タンクの下方に左右のステップを配置した自動二輪車において、燃料タンクの底から下方に所定距離を保ってボックスを配置し、このボックス内にバッテリを収納するとともに、ボックスの上面左右にステップ面、上面中央にバッテリから給電可能な電気製品を載せることのできる電気製品載せ面を設けたことを特徴とする。
【０００６】
電気製品載せ面を設けたので、電気製品載せ面に電気製品を載せて、電気製品を運搬するとともに、ボックスを設けてバッテリを収納することで、電気製品にバッテリのさし込プラグを差し込んで、電気製品を使用することができる。
【０００７】
【発明の実施の形態】
本発明の実施の形態を添付図に基づいて以下に説明する。なお、図面は符号の向きに見るものとする。「左」「右」は運転者から見た方向、「前」は前進側、「後」はその逆側をいう。
【０００８】
図１は本発明に係る自動二輪車の側面図であり、自動二輪車１０は、メインフレーム１１の前部にヘッドパイプ１２を設け、このヘッドパイプ１２に操舵可能にフロントフォーク１３を取付け、このフロントフォーク１３の下端に前輪１４を取付け、フロントフォーク１３の上端にハンドル１５を取付け、メインフレーム１１の下方後部にパワーユニット１６を上下スイング可能に取付け、パワーユニット１６に後輪１７を取付け、パワーユニット１６の後端部にリヤクッションユニット１８を取付け、メインフレーム１１の上方後部にシート２１を取付け、メインフレーム１１の上方中央で且つ、ハンドル１５とシート２１との間に燃料タンク２２を配置し、メインフレーム１１の下方にボックス２３を配置したものである。２４は燃料タンク２２の下方に配置したステップ、Ｌは燃料タンク２２の底２２ａからボックス２３までの所定距離を示す。
【０００９】
メインフレーム１１は、上部フレーム２５と、下部フレーム２６と、これらの上部・下部フレーム２５，２６の両端におのおの設けた前部フレーム２７、後部フレーム２８とからなり、中央に収納空間２９を形成したものである。
【００１０】
パワーユニット１６は、エンジン３１と、動力伝達機構３２と、エアクリーナ３３と、キャブレータ３４と、排気管３５と、排気用マフラ３６（図２参照）と、図に示していな発電機を有する。
【００１１】
図２（ａ），（ｂ）は本発明に係る自動二輪車の正面および背面の説明図である。
（ａ）は正面図であり、燃料タンク２２の下方に左右のステップ２４，２４を配置したことを示す。
（ｂ）は背面図であり、ステップ２４，２４と、発電機を内蔵したパワーユニット１６と、排気用マフラ３６とを示す。
【００１２】
図３は図１の３−３線断面図であり、燃料タンク２２の底２２ａから下方に所定距離Ｌを保って配置したボックス２３を示す。
ボックス２３は、バッテリ４１を収納するとともに、上面４２左右にステップ面４３，４３、上面４２中央にバッテリ４１から給電可能な電気製品を載せることのできる電気製品載せ面４４を設けたものである。
【００１３】
バッテリ４１は、着脱自在なもので、家庭の電気で充電することが可能であるとともに、パワーユニット１６（図１参照）の発電機からも充電することが可能なものである。バッテリ４１の容量（Ｖ）は、任意である。
電気製品とは、例えば、電気ポット、電気冷蔵庫、電気なべなど電気で作動するもので、自動二輪車１０に載置可能で且つ携帯可能な程度に小型化したものである。電気製品の使用電圧（Ｖ）は、任意である。
【００１４】
以上に述べた自動二輪車の作用を次に説明する。
図４は本発明に係る自動二輪車の作用図である。
自動二輪車１０に電気製品載せ面４４を設けたので、電気製品載せ面４４に電気ポットＥを載せて、止め金具４５で止め、電気ポットＥを運搬することができるとともに、ボックス２３を設けてバッテリ４１を収納したので、電気ポットＥにバッテリ４１のさし込プラグ４１ａを差し込んで、電気ポットＥを使用することができる。
【００１５】
このように、自動二輪車１０では、燃料タンク２２の底２２ａから下方に所定距離Ｌを保ってボックス２３を配置し、ボックス２３内にバッテリ４１を収納するとともに、ボックス２３の上面左右にステップ面、上面中央にバッテリ４１から給電可能な電気ポットＥを載せることのできる電気製品載せ面４４を設けたので、アウトドアーやツーリングの際に、その場で電気ポットＥを使用することができる。
【００１６】
尚、こここでは、電気製品載せ面４４に電気ポットＥを載せたが、電気製品載せ面４４に載せるものは、任意であり、例えば、電気冷蔵庫でもよい。
燃料タンク２２の形状は一例である。
ボックス２３の形状や電気製品載せ面４４の形状は任意であり、例えば、規格品を載せる場合には、規格品に対応する凹部や凸部を設けて嵌め込むことも可能である。
【００１７】
【発明の効果】
本発明は上記構成により次の効果を発揮する。
請求項１では、自動二輪車は、燃料タンクの底から下方に所定距離を保ってボックスを配置し、このボックス内にバッテリを収納するとともに、ボックスの上面左右にステップ面、上面中央にバッテリから給電可能な電気製品を載せることのできる電気製品載せ面を設けたので、電気製品載せ面に電気製品を載せて、電気製品を使用することができる。従って、アウトドアーやツーリングの際に、その場で電気製品を使用することができる。
【図面の簡単な説明】
【図１】本発明に係る自動二輪車の側面図
【図２】本発明に係る自動二輪車の正面および背面の説明図
【図３】図１の３−３線断面図
【図４】本発明に係る自動二輪車の作用図
【符号の説明】
１０…自動二輪車、１５…ハンドル、２１…シート、２２…燃料タンク、２２ａ…燃料タンクの底、２３…ボックス、２４…ステップ、４１…バッテリ、４２…ボックスの上面、４３…ステップ面、４４…電気製品載せ面、Ｌ…所定距離。
【図１】
0004436022.tif 000002
【図２】
0004436022.tif 000003
【図３】
0004436022.tif 000004
【図４】
0004436022.tif 000005